【手続補正書】
【提出日】平成19年6月18日(2007.6.18)
【手続補正１】
【補正対象書類名】明細書
【補正対象項目名】特許請求の範囲
【補正方法】変更
【補正の内容】
【特許請求の範囲】
【請求項１】  撮像素子の駆動装置であって、
基準クロックの周波数を設定された周期で連続的に変更したクロックを発生する周波数拡散手段と、
前記周期を所定のタイミングで変更する変更手段と、
前記周波数拡散手段が発生するクロックに従って前記撮像素子を制御する制御クロックを発生する制御クロック発生手段と、
を備え、
前記変更手段は、前記基準クロックに従って生成される同期信号に応じて前記周期を変更することを特徴とする撮像素子の駆動装置。
【請求項２】  前記変更手段は、前記基準クロックに従って生成される水平同期信号に応じて前記周期を変更することを特徴とする請求項１に記載の撮像素子の駆動装置。
【請求項３】  前記変更手段は、
複数の値を格納したメモリと、
前記水平同期信号をカウントするカウント手段と、
を有し、前記カウント手段によるカウント値に従って前記メモリから該当する値を読み出して、該値に従って前記周期を変更することを特徴とする請求項２に記載の撮像素子の駆動装置。
【請求項４】  撮像素子の駆動装置であって、
基準クロックの周波数を設定された周期で連続的に変更したクロックを発生する周波数拡散手段と、
前記周期を所定のタイミングで変更する変更手段と、
前記周波数拡散手段が発生するクロックに従って前記撮像素子を制御する制御クロックを発生する制御クロック発生手段と、
を備え、
前記変更手段は、前記撮像素子で撮像される画像の１水平期間毎に前記周期を変更することを特徴とする撮像素子の駆動装置。
【請求項５】  撮像素子の駆動装置であって、
基準クロックの周波数を設定された周期で連続的に変更したクロックを発生する周波数拡散手段と、
前記周期を所定のタイミングで変更する変更手段と、
前記周波数拡散手段が発生するクロックに従って前記撮像素子を制御する制御クロックを発生する制御クロック発生手段と、
を備え、
前記変更手段は、乱数に基づいて前記周期を設定することを特徴とする撮像素子の駆動装置。
【請求項６】  前記撮像素子は、ＣＣＤラインセンサを含むことを特徴とする請求項１乃至請求項５のいずれか１項に記載の撮像素子の駆動装置。
【請求項７】  基準クロックの周波数を設定された周期で連続的に変更したクロックを発生する周波数拡散手段と、前記周波数拡散手段が発生するクロックに従って前記撮像素子を制御する制御クロックを発生する制御クロック発生手段とを有する撮像素子の駆動方法であって、
前記周期を所定のタイミングで変更する変更工程を有し、
前記変更工程は、前記基準クロックに従って生成される同期信号に応じて前記周期を変更することを特徴とする撮像素子の駆動方法。
【手続補正２】
【補正対象書類名】明細書
【補正対象項目名】０００６
【補正方法】変更
【補正の内容】
【０００６】
【課題を解決するための手段】
本発明の第１の側面に係る撮像素子の駆動装置は、基準クロックの周波数を設定された周期で連続的に変更したクロックを発生する周波数拡散手段と、前記周期を所定のタイミングで変更する変更手段と、前記周波数拡散手段が発生するクロックに従って前記撮像素子を制御する制御クロックを発生する制御クロック発生手段とを備え、前記変更手段は、前記基準クロックに従って生成される同期信号に応じて前記周期を変更することを特徴とする。
【手続補正３】
【補正対象書類名】明細書
【補正対象項目名】０００７
【補正方法】変更
【補正の内容】
【０００７】
本発明の第１の側面に係る撮像素子の駆動装置において、前記変更手段は、前記基準クロックに従って生成される水平同期信号に応じて前記周期を変更することが好ましい。
【手続補正４】
【補正対象書類名】明細書
【補正対象項目名】０００８
【補正方法】変更
【補正の内容】
【０００８】
本発明の第１の側面に係る撮像素子の駆動装置において、前記変更手段は、複数の値を格納したメモリと、前記水平同期信号をカウントするカウント手段とを有し、前記カウント手段によるカウント値に従って前記メモリから該当する値を読み出して、該値に従って前記周期を変更することが好ましい。
【手続補正５】
【補正対象書類名】明細書
【補正対象項目名】０００９
【補正方法】変更
【補正の内容】
【０００９】
本発明の第２の側面に係る撮像素子の駆動装置は、基準クロックの周波数を設定された周期で連続的に変更したクロックを発生する周波数拡散手段と、前記周期を所定のタイミングで変更する変更手段と、前記周波数拡散手段が発生するクロックに従って前記撮像素子を制御する制御クロックを発生する制御クロック発生手段とを備え、前記変更手段は、前記撮像素子で撮像される画像の１水平期間毎に前記周期を変更することを特徴とする。
【手続補正６】
【補正対象書類名】明細書
【補正対象項目名】００１０
【補正方法】変更
【補正の内容】
【００１０】
本発明の第３の側面に係る撮像素子の駆動装置は、基準クロックの周波数を設定された周期で連続的に変更したクロックを発生する周波数拡散手段と、前記周期を所定のタイミングで変更する変更手段と、前記周波数拡散手段が発生するクロックに従って前記撮像素子を制御する制御クロックを発生する制御クロック発生手段とを備え、前記変更手段は、乱数に基づいて前記周期を設定することを特徴とする。
【手続補正７】
【補正対象書類名】明細書
【補正対象項目名】００１１
【補正方法】変更
【補正の内容】
【００１１】
本発明の第１乃至第３の側面に係る撮像素子の駆動装置において、前記撮像素子は、ＣＣＤラインセンサを含みうる。
【手続補正８】
【補正対象書類名】明細書
【補正対象項目名】００１２
【補正方法】変更
【補正の内容】
【００１２】
本発明の第４の側面に係る撮像素子の駆動方法は、基準クロックの周波数を設定された周期で連続的に変更したクロックを発生する周波数拡散手段と、前記周波数拡散手段が発生するクロックに従って前記撮像素子を制御する制御クロックを発生する制御クロック発生手段とを有する撮像素子の駆動方法であって、前記周期を所定のタイミングで変更する変更工程を有し、前記変更工程は、記基準クロックに従って生成される同期信号に応じて前記周期を変更することを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００５１
【補正方法】変更
【補正の内容】
【００５１】
上記の実施の形態では、拡散周期設定部４０４をカウンタ４０４ａとメモリ（ルックアップテーブル）４０４ｂで構成する例を挙げたが、これに代えて他の構成を採用することもできる。例えば、ＣＰＵや乱数発生回路等により乱数を発生し、該乱数に基づいて拡散周期を設定してもよい。即ち、クロック発生部４０２が発生するクロック信号の変調幅を所定のタイミング（例えば、１水平期間毎）で不規則或いはランダムに変更することにより、画像に規則的なノイズが載ることを抑え、高品位の画像を得ることができる。